(57)【要約】【課題】接触または近接による入力操作に応じた動作を行う情報端末装置において、頭部が接触または近接することによる誤動作を、消費電力を抑制しながらも回避する。【解決手段】入力指示手段の接触または近接を検出する入力検出部１と、装置への利用者の頭部の近接を検出する近接検出部２と、装置の状態を検出する状態検出部３と、状態検出部３で装置の所定の状態を検出した場合に、近接検出部２での検出を開始し、近接検出部２で近接を検出した場合に、入力検出部１における検出を停止する制御部４とを有する。【選択図】図１
2013258584.tif 000002
【特許請求の範囲】
【請求項１】
入力指示手段の接触または近接を検出する入力検出手段と、
装置への利用者の頭部の近接を検出する近接検出手段と、
装置の状態を検出する状態検出手段と、
前記状態検出手段で装置の所定の状態を検出した場合に、前記近接検出手段での検出を開始し、前記近接検出手段で近接を検出した場合に、前記入力検出手段における検出を停止する制御手段とを有する情報端末装置。
【請求項２】
請求項１に記載の情報端末装置において、
前記制御手段は、前記近接検出手段での検出を開始した際に前記入力検出手段における検出が停止している状態において前記近接検出手段で近接を検出しなかった場合に、前記入力検出手段における検出を再開する情報端末装置。
【請求項３】
請求項１または請求項２に記載の情報端末装置において、
前記状態検出手段は、装置の移動状態を前記状態として検出する情報端末装置。
【請求項４】
請求項１乃至３のいずれか１項に記載の情報端末装置において、
前記状態検出手段は、装置の向きを前記状態として検出する情報端末装置。
【請求項５】
請求項１乃至４のいずれか１項に記載の情報端末装置において、
音声が入力される音声入力手段を有し、
前記近接検出手段は、前記音声入力手段への利用者の頭部の近接を検出する情報端末装置。
【請求項６】
請求項１乃至５のいずれか１項に記載の情報端末装置において、
音声を出力する音声出力手段を有し、
前記近接検出手段は、前記音声出力手段への利用者の頭部の近接を検出する情報端末装置。
【請求項７】
請求項１乃至６のいずれか１項に記載の情報端末装置において、
前記近接検出手段は、前記入力検出手段への利用者の頭部の近接を検出する情報端末装置。
【請求項８】
入力指示手段の接触または近接を検出する入力検出処理と、
装置の所定の状態を検出する状態検出処理と、
前記状態検出処理にて前記所定の状態を検出した場合に、装置への利用者の頭部の近接を検出する近接検出処理とを有し、
前記入力検出処理は、前記近接検出処理にて近接を検出した場合に、前記入力指示手段の接触または近接の検出を停止する入力制御方法。
【請求項９】
コンピュータに、
入力指示手段の接触または近接を検出する入力検出手順と、
装置の所定の状態を検出する状態検出手順と、
前記状態検出手順にて前記所定の状態を検出した場合に、装置への利用者の頭部の近接を検出する近接検出手順とを実行させ、
前記入力検出手順では、前記近接検出手順にて近接を検出した場合に、前記入力指示手段の接触または近接の検出を停止するプログラム。
【発明の詳細な説明】
【技術分野】
【０００１】
本発明は、接触または近接による入力操作に応じた動作を行う情報端末装置及び入力制御方法に関する。
【背景技術】
【０００２】
現在、携帯電話は、情報交換や情報収集の面から生活にはなくてはならないツールとなりつつある。携帯電話は、世の中に登場した当時は通話機能しか有していないものがほとんどであった。しかし、近年では、一般のパーソナルコンピュータと同様に、電子メールを送信したり、インターネットに接続したりすることができるようになっている。
【０００３】
このような携帯電話の市場では、近年、情報を表示する表示画面上にタッチパッドを搭載したものが急速に普及している。表示画面上にタッチパッドを搭載した携帯電話は、タッチパッドにて接触を検出すると接触を検出した位置に応じた動作を行う。
【０００４】
ところで、携帯電話は受話レシーバーに耳を当てて通話を行う。そのため、通話時に利用者の頭部がタッチパッドに接触して誤動作が生じてしまう虞れがある。このような誤動作を回避するために、赤外線ＬＥＤとフォトセンサーを内蔵した近接センサーが広く用いられている。近接センサーを用いた携帯電話は、近接センサーによって人体を検出した場合にタッチパッドに対する入力を無効とし、それにより、通話時における誤動作を回避している（例えば、特許文献１参照）。
【先行技術文献】
【特許文献】
【０００５】
【特許文献１】特開２０１１−６１３１６号公報
【発明の概要】
【発明が解決しようとする課題】
【０００６】
上述したような近接センサーを用いた携帯電話をはじめとした情報端末装置においては、赤外線ＬＥＤの発光に伴う消費電流が多く、また、検出のタイムラグが生じないように赤外線ＬＥＤを短い周期で繰り返し発光させることにより、情報端末装置全体の消費電流が大きくなってしまうという問題点がある。
【０００７】
本発明は、上述したような技術が有する問題点に鑑みてなされたものであって、接触または近接による入力操作に応じた動作を行う情報端末装置において、頭部が接触または近接することによる誤動作を、消費電力を抑制しながらも回避することができる情報端末装置、入力制御方法及びプログラムを提供することを目的とする。
【課題を解決するための手段】
【０００８】
上記目的を達成するために本発明は、
入力指示手段の接触または近接を検出する入力検出手段と、
装置への利用者の頭部の近接を検出する近接検出手段と、
装置の状態を検出する状態検出手段と、
前記状態検出手段で装置の所定の状態を検出した場合に、前記近接検出手段での検出を開始し、前記近接検出手段で近接を検出した場合に、前記入力検出手段における検出を停止する制御手段とを有する。
【０００９】
また、入力指示手段の接触または近接を検出する入力検出処理と、
装置の所定の状態を検出する状態検出処理と、
前記状態検出処理にて前記所定の状態を検出した場合に、装置への利用者の頭部の近接を検出する近接検出処理とを有し、
前記入力検出処理は、前記近接検出処理にて近接を検出した場合に、前記入力指示手段の接触または近接の検出を停止する。
【００１０】
また、コンピュータに、
入力指示手段の接触または近接を検出する入力検出手順と、
装置の所定の状態を検出する状態検出手順と、
前記状態検出手順にて前記所定の状態を検出した場合に、装置への利用者の頭部の近接を検出する近接検出手順とを実行させ、
前記入力検出手順では、前記近接検出手順にて近接を検出した場合に、前記入力指示手段の接触または近接の検出を停止する。
【発明の効果】
【００１１】
本発明によれば、接触または近接による入力操作に応じた動作を行う構成において、頭部が接触または近接することによる誤動作を、消費電力を抑制しながらも回避することができる。
【図面の簡単な説明】
【００１２】
【図１】本発明の情報端末装置の概要を示すブロック図である。
【図２】図１に示した情報端末装置の実施の一形態となる携帯電話端末の一例を示す図であり、（ａ）は外観図、（ｂ）は機能ブロック図である。
【図３】図２に示した携帯電話端末における入力制御方法を説明するためのフローチャートである。
【図４】図３に示したステップ２１０における近接検出処理を説明するためのフローチャートである。
【図５】図３に示したステップ２１１における非近接検出処理を説明するためのフローチャートである。
【図６】携帯電話端末と利用者の頭部との位置関係を示す図であり、（ａ）は携帯電話端末に利用者の頭部が近接していく状態を示す図、（ｂ）は携帯電話端末から利用者の頭部が遠ざかっていく状態を示す図である。
【図７】図１に示した情報端末装置の他の実施の形態となる携帯電話端末の一例を示す図であり、（ａ）は外観図、（ｂ）は機能ブロック図である。
【図８】図７に示した携帯電話端末における入力制御方法を説明するためのフローチャートである。
【発明を実施するための形態】
【００１３】
以下に、本発明の実施の形態について図面を参照して説明する。
【００１４】
図１は、本発明の情報端末装置の概要を示すブロック図である。
【００１５】
本発明の情報端末装置は図１に示すように、入力検出手段となる入力検出部１と、近接検出手段となる近接検出部２と、状態検出手段となる状態検出部３と、制御手段となる制御部４とから構成されている。
【００１６】
入力検出部１は、指やタッチペンなどの入力指示手段の接触または近接を検出する。
【００１７】
近接検出部２は、情報端末装置への利用者の頭部の近接を検出する。
【００１８】
状態検出部３は、情報端末装置の状態を検出する。
【００１９】
制御部４は、状態検出部３で情報端末装置の所定の状態を検出した場合に、近接検出部２での検出を開始し、近接検出部２にて情報端末装置への利用者の頭部の近接を検出した場合に、入力検出部１における接触または近接の検出を停止する。
【００２０】
上記のように構成された情報端末装置においては、通常、入力検出部１は、指やタッチペンなどの入力指示手段の接触や近接を検出している。状態検出部３で情報端末装置の所定の状態を検出した場合、制御部４は、近接検出部２での情報端末装置への利用者の頭部の近接の検出を開始する。そして、近接検出部２にて情報端末装置への利用者の頭部の近接を検出した場合、制御部４は、入力検出部１における接触や近接の検出を停止する。
【００２１】
以下に、上記のように構成された情報端末装置について具体的な例を挙げて説明する。
【００２２】
図２は、図１に示した情報端末装置の実施の一形態となる携帯電話端末の一例を示す図であり、（ａ）は外観図、（ｂ）は機能ブロック図である。
【００２３】
本形態は図２に示すように、筐体８０の前面にタッチパネル１０が設けられているとともに、音声入力手段となるマイク６０と、音声出力手段となる受話レシーバー５０とが、筐体８０の孔からタッチパネル１０と同一面側に表出して構成されている。タッチパネル１０は、表示ユニット１２上に図１に示した入力検出部１に相当するタッチパッド１１が重ね合わされて構成されている。また、図１に示した近接検出部２に相当する近接センサー２０を構成する赤外線ＬＥＤ２１及び受光部２２が、筐体８０の孔からタッチパネル１０と同一面側に表出している。筐体８０の内部には、図１に示した状態検出部３に相当する加速度センサー３０と、図１に示した制御部４に相当する制御部４０と、通信部７０とが設けられている。なお、タッチパネル１０は、表示ユニット１２とタッチパッド１１とが一体化されたオンセル型やインセル型であってもよい。
【００２４】
筐体８０は、例えば、フロントカバーとリアカバーとがその周囲にて嵌合されて構成されている。
【００２５】
タッチパッド１１は、その表面に導電膜（不図示）を有し、この導電膜と、入力指示手段となる指やタッチペンなどとの間の静電容量の変化によって、指やタッチペンが接触または近接した位置を検出する。利用者は通話を開始する際、発信呼び出し操作や着信応答操作をタッチパネル１０に指で触れることにより行う。終話する場合も同様にタッチパネル１０に指で触れて操作を行う。また、指やタッチペンが接触した位置を検出するものであれば、上述した静電容量を用いたもの以外にも、２枚の導電膜が指などによって押されて互いに接触した際の抵抗値を検出することでその位置を検出する抵抗膜方式によるものであってもよい。また、指などの接触のみを検出するもの、接触及び近接を検出するもの、いずれであっても適用することができる。
【００２６】
表示ユニット１２は、液晶や有機ＥＬ等から構成され、タッチパネル１０に対する接触または近接による入力操作を行うために表示を行う。
【００２７】
赤外線ＬＥＤ２１は、利用者の頭部が近づいたことを検知する必要がある場合に制御部４０の制御によって発光する。
【００２８】
受光部２２は、利用者の頭部に反射した赤外線ＬＥＤ２１の光を受光し、その反射光量を測定することで、携帯電話端末１００と使用者の頭部との距離を測定し、使用者の頭部の近接を検出する。なお、タッチパッド１１が、指やタッチペンなどの近接を検出するものである場合、近接センサー２０は、情報を入力するためにタッチパッド１１に近接する指やタッチペンも検出するため、この指やタッチペンと利用者の頭部とを区別する必要がある。そのため、近接センサー２０は、頭部を検出する範囲として、タッチパッド１１にて指などを検出する範囲以外にもそれとは異なる範囲を備えている。例えば、近接センサー２０は、受話レシーバー５０が設けられた領域に対する近接を検出することにより、受話レシーバー５０に対する利用者の頭部の近接を検出したり、マイク６０が設けられた領域に対する近接を検出することにより、マイク６０に対する利用者の頭部の近接を検出したりするというように、タッチパネル１０に対する操作範囲外となるタッチパネル１０の外周部分における物体の近接を検出する。あるいは、図示はしていないが、タッチパネル１０の外周部分に近接センサーを複数設け、これら複数の近接センサーにて物体の近接を検出した場合に、利用者の頭部が近接したと判断することも考えられる。
【００２９】
通信部７０は、音声通信やデータ通信を司るものであって、音声信号やデータ信号を無線により送受信する。
【００３０】
受話レシーバー５０は、通信部７０にて受信された音声信号を音声に変換して出力する。
【００３１】
マイク６０は、利用者の声などの音声を集音することにより、音声が入力されるものである。
【００３２】
加速度センサー３０は、制御部４０の制御によって携帯電話端末１００の物理的移動の方向や加速度といった移動状態を検出する。加速度センサー３０は、コストや大きさなどの関係から、静電容量型や半導体ピエゾ抵抗型などの半導体式のものを用いることが考えられる。
【００３３】
制御部４０は、これらタッチパネル１０、赤外線ＬＥＤ２１、受光部２２、通信部７０、受話レシーバー５０、マイク６０及び加速度センサー３０の動作を制御する。制御部４０は、加速度センサー３０にて携帯電話端末１００の所定の移動状態を検出した場合に、赤外線ＬＥＤ２１を発光させて受光部２２にて反射光を受光させることで利用者の頭部の近接の検出を開始し、利用者の頭部の近接を検出した場合に、タッチパッド１１における指などの近接や接触の検出を停止する。
【００３４】
上記のように構成された携帯電話端末１００は、利用者は通話時などにおいて、受話レシーバー５０で音声を聞き取る際、携帯電話端末１００に頭部を近づける必要がある。この際、タッチパネル１０に頭部が触れてしまうと、頭部の接触がタッチパッド１１にて検出されることで誤操作切断などが生じてしまう虞れがある。これを避けるため、近接センサー２０にて頭部の近接を断続的に検出し、頭部が近接した場合にタッチパネル１０の操作を無効にすることで誤操作を回避している。
【００３５】
以下に、上述した携帯電話端末１００における入力制御方法について説明する。
【００３６】
図３は、図２に示した携帯電話端末１００における入力制御方法を説明するためのフローチャートである。図４は、図３に示したステップ２１０における近接検出処理を説明するためのフローチャートである。図５は、図３に示したステップ２１１における非近接検出処理を説明するためのフローチャートである。
【００３７】
携帯電話端末１００の利用者が、タッチパネル１０に対して発信または着信応答するための操作を行い、タッチパッド１１がその操作を検出すると（ステップ２０１）、携帯電話端末１００は通信部７０にて呼接続されて通話状態となる。
【００３８】
携帯電話端末１００が通話状態になると、制御部４０は加速度センサー３０を用いて携帯電話端末１００にかかる加速度の検出を開始する（ステップ２０２）。
【００３９】
携帯電話端末１００が通話終了でなければ（ステップ２０３）、制御部４０は、加速度センサー３０を用いて検出された加速度が予め設定された値ａよりも大きいかどうかを判定する（ステップ２０４）。この値ａは、携帯電話端末１００の利用者が、通話を行う際に携帯電話端末１００を耳に近づけたり、通話時に携帯電話端末１００を耳に近づけている状態から、タッチパネル１０を操作するために携帯電話端末１００を耳から遠ざける際の一般的な加速度の最低値として考えられる値である。
【００４０】
検出された加速度が値ａ以下である場合は、制御部４０は、携帯電話端末１００に物理的な移動が生じていないと判断し、ステップ２０３，２０４の処理を繰り返す。携帯電話端末１００に物理的な移動が生じていない状態では、利用者の頭部がタッチパネル１０に接触することによる誤操作は発生しないものとし、赤外線ＬＥＤ２１は発光せず、近接センサー２０を用いた、利用者の頭部の近接の検出処理を行わない。
【００４１】
携帯電話端末１００にかかる加速度の検出を開始した後に携帯電話端末１００が通話を終了すると、制御部４０は、加速度センサー３０を用いた加速度の検出を停止し（ステップ２０５）、終話の処理を行う（ステップ２０６）。
【００４２】
一方、加速度センサー３０を用いて検出された加速度が値ａよりも大きな場合は、制御部４０は、携帯電話端末１００に物理的な移動が生じていると判断し、まず、加速度センサー３０を用いた加速度の検出を停止し（ステップ２０７）、赤外線ＬＥＤ２１を発光させ、近接センサー２０の動作を開始する（ステップ２０８）。
【００４３】
次に、制御部４０は、タッチパッド１１が有効な状態であるかを判定し（ステップ２０９）、有効な状態である場合は、図４に示す近接検出処理のフローに移行し（ステップ２１０）、無効な状態である場合は、図５に示す非近接検出処理のフローに移行する（ステップ２１１）。
【００４４】
図４に示す近接検出処理のフローは、携帯電話端末１００が利用者の頭部に近接した際の処理のフローである。
【００４５】
図４に示すように、近接検出処理のフローにおいては、制御部４０は近接検出を開始すると（ステップ３０１）、まず、非検出カウント値を“０”に初期化する（ステップ３０２）。近接検出処理のフローにおける非検出カウント値とは、次のステップ３０３にて受光部２２にて受光される赤外線ＬＥＤ２１の反射受光量が予め設定された値以下であると判定された回数である。
【００４６】
制御部４０は、受光部２２にて受光される赤外線ＬＥＤ２１の反射受光量と予め設定された値ｂとを比較し、反射受光量が値ｂよりも大きいかどうかを判定する（ステップ３０３）。
【００４７】
反射受光量が値ｂよりも大きな場合は、制御部４０は、携帯電話端末１００の利用者の頭部が近接していると判断し、すなわち、利用者の頭部の近接を検出し、タッチパッド１１を無効化し、タッチパッド１１における検出を停止する（ステップ３０４）。
【００４８】
図６は、携帯電話端末１００と利用者の頭部との位置関係を示す図であり、（ａ）は携帯電話端末１００に利用者の頭部が近接していく状態を示す図、（ｂ）は携帯電話端末１００から利用者の頭部が遠ざかっていく状態を示す図である。
【００４９】
図６（ａ）に示すように、携帯電話端末１００の利用者が通話を行うために受話レシーバー５０を耳に近づけようとすると、携帯電話端末１００と利用者の頭部２００とが近接することにより、受光部２２にて受光される赤外線ＬＥＤ２１の反射受光量が大きくなる。そのため、制御部４０は、この反射受光量が値ｂよりも大きな場合は、携帯電話端末１００の利用者の頭部２００が近接していると判断する。
【００５０】
制御部４０は、タッチパッド１１における検出を停止した後、近接検出を終了し（ステップ３０５）、図３に示したステップ２１３における処理に移行する。
【００５１】
一方、反射受光量が値ｂ以下の場合は、制御部４０は、携帯電話端末１００の利用者の頭部が近接していないと判断し、非検出カウント値をインクリメントする（ステップ３０６）。
【００５２】
反射受光量が値ｂ以下の場合は、制御部４０は、利用者の頭部が携帯電話端末１００に近接していないことから、タッチパッド１１への接触による誤操作はないと判断し、タッチパッド１１を無効にはしない。
【００５３】
制御部４０は、非検出カウント値をインクリメントした後、インクリメントした非検出カウント値を予め設定した値ｃと比較し（ステップ３０７）、インクリメントした非検出カウント値が値ｃよりも大きな場合、利用者の頭部の近接が一定期間検出されなかったと判定し、近接検出を終了して図３に示したステップ２１２における処理に移行する。
【００５４】
また、インクリメントした非検出カウント値が値ｃ以下である場合は、制御部４０は、ステップ３０３における処理に戻り、反射受光量が値ｂよりも大きいかどうかを判定する。
【００５５】
一方、制御部４０は、タッチパッド１１が無効な状態である場合は、図５に示す非近接検出処理のフローに移行する。図５に示す非近接検出処理のフローは、携帯電話端末１００が利用者の頭部から遠ざかった際の処理のフローである。
【００５６】
図５に示すように、非近接検出処理のフローにおいては、制御部４０は非近接検出を開始すると（ステップ３１１）、まず、非検出カウント値を“０”に初期化する（ステップ３１２）。非近接検出処理のフローにおける非検出カウント値とは、次のステップ３１３にて受光部２２にて受光される赤外線ＬＥＤ２１の反射受光量が予め設定された値以上であると判定された回数である。
【００５７】
制御部４０は、受光部２２にて受光される赤外線ＬＥＤ２１の反射受光量と予め設定された値ｄとを比較し、反射受光量が値ｄよりも小さいかどうかを判定する（ステップ３１３）。
【００５８】
反射受光量が値ｄよりも小さな場合は、制御部４０は、携帯電話端末１００から利用者の頭部が遠ざかっていると判断し、すなわち、利用者の頭部の近接を検出しなくなると、タッチパッド１１を有効化し、タッチパッド１１における検出を再開する（ステップ３１４）。
【００５９】
図６（ｂ）に示すように、携帯電話端末１００から利用者の頭部２００が遠ざかっていく場合は、携帯電話端末１００と利用者の頭部２００とが近接しなくなることにより、受光部２２にて受光される赤外線ＬＥＤ２１の反射受光量が小さくなる。そのため、制御部４０は、この反射受光量が値ｄよりも小さな場合は、携帯電話端末１００から利用者の頭部２００が遠ざかっていると判断する。
【００６０】
制御部４０は、タッチパッド１１における検出を停止した後、近接検出を終了し（ステップ３１５）、図３に示したステップ２１２における処理に移行する。
【００６１】
一方、反射受光量が値ｄ以上の場合は、制御部４０は、携帯電話端末１００の利用者の頭部が近接している状態であると判断し、非検出カウント値をインクリメントする（ステップ３１６）。
【００６２】
制御部４０は、非検出カウント値をインクリメントした後、インクリメントした非検出カウント値を予め設定した値ｃと比較し（ステップ３１７）、インクリメントした非検出カウント値が値ｃよりも大きな場合、利用者の頭部の非近接状態が一定期間検出されなかったと判定し、非近接検出を終了して図３に示したステップ２１２における処理に移行する。
【００６３】
また、インクリメントした非検出カウント値が値ｃ以下である場合は、制御部４０は、ステップ３１３における処理に戻り、反射受光量が値ｄよりも小さいかどうかを判定する。
【００６４】
ステップ２１０における近接検出やステップ２１１における非近接検出が終了すると、制御部４０は、近接センサー２０の動作を停止する（ステップ２１２）。
【００６５】
その後、ステップ２０２における処理に戻り、ステップ２０２〜２１２の処理を繰り返し行うことにより、携帯電話端末１００の物理的な移動状態となる加速度の検出と、検出された加速度の大きさに応じて、利用者の頭部の携帯電話端末１００への近接または非近接の検出動作を繰り返し行うことが可能となる。
【００６６】
このように、本形態においては、携帯電話端末１００の利用者が、通話時に音声を聞き取るために受話レシーバー５０を耳に近づける動作、または受話レシーバー５０を耳に近づけている状態からタッチパネル１０の操作を行うために携帯電話端末１００を頭部から遠ざける動作によって携帯電話端末１００の物理的な移動が発生することを利用し、赤外線ＬＥＤ２１よりも少ない電流で検出動作が可能な加速度センサー３０を用いて携帯電話機１００の物理的な移動を検出し、物理的な移動を検出した場合にのみ近接センサー２０による検出動作を開始することにより、携帯電話端末１００の消費電流を減らすことができる。
【００６７】
なお、本形態においては、加速度センサー３０にて検出された加速度を予め設定された値と比較することで、近接センサー２０の動作の開始を制御しているが、加速度センサー３０にて検出された加速度が、予め設定された値を所定時間以上継続して超えている場合に、近接センサー２０の動作の開始することも考えられる。また、加速度センサー３０にて検出された加速度を積分して携帯電話端末１００の速度を算出したり、加速度センサー３０にて検出された加速度を２回積分して携帯電話端末１００の位置の変化を算出したりし、これら速度や位置の変化量を予め決められた値と比較することによって、近接センサー２０の動作の開始を制御してもよい。
【００６８】
（他の実施の形態）
図７は、図１に示した情報端末装置の他の実施の形態となる携帯電話端末の一例を示す図であり、（ａ）は外観図、（ｂ）は機能ブロック図である。
【００６９】
本形態は図７に示すように、図２に示したものに対して、図１に示した状態検出部３に相当するものとして、加速度センサー３０の代わりに角度センサー９０を有する点が異なるものである。
【００７０】
角度センサー９０は、携帯電話端末３００の傾斜角度を検出することにより、携帯電話端末３００の向きをその状態として検出する。
【００７１】
以下に、上述した携帯電話端末３００における入力制御方法について説明する。
【００７２】
図８は、図７に示した携帯電話端末３００における入力制御方法を説明するためのフローチャートである。
【００７３】
携帯電話端末３００の利用者が、タッチパネル１０に対して発信または着信応答するための操作を行い、タッチパッド１１がその操作を検出すると（ステップ４０１）、携帯電話端末３００は通信部７０にて呼接続されて通話状態となる。
【００７４】
携帯電話端末３００が通話状態になると、制御部４０は角度センサー９０を用いて携帯電話端末３００の向きの検出を開始する（ステップ４０２）。
【００７５】
携帯電話端末３００が通話終了でなければ（ステップ４０３）、制御部４０は、角度センサー９０を用いて検出された向きが垂直かどうかを判定する（ステップ４０４）。
【００７６】
検出された向きが垂直でない場合は、制御部４０は、携帯電話端末１００が水平のままであると判断し、ステップ４０３，４０４の処理を繰り返す。携帯電話端末１００が水平のままの状態では、利用者が通話を行うことはなく、頭部がタッチパネル１０に接触することによる誤操作は発生しないものとし、赤外線ＬＥＤ２１は発光せず、近接センサー２０を用いた、利用者の頭部の近接の検出処理を行わない。
【００７７】
携帯電話端末３００の向きの検出を開始した後に携帯電話端末３００が通話を終了すると、制御部４０は、角度センサー９０を用いた向きの検出を停止し（ステップ４０５）、終話の処理を行う（ステップ４０６）。
【００７８】
一方、角度センサー９０を用いて検出された向きが垂直の場合は、制御部４０は、利用者が通話を行う状態であると判断し、まず、角度センサー９０を用いた向きの検出を停止し（ステップ４０７）、赤外線ＬＥＤ２１を発光させ、近接センサー２０の動作を開始する（ステップ４０８）。
【００７９】
次に、制御部４０は、タッチパッド１１が有効な状態であるかを判定し（ステップ４０９）、有効な状態である場合は、図４に示した近接検出処理のフローに移行し（ステップ４１０）、無効な状態である場合は、図５に示す非近接検出処理のフローに移行する（ステップ４１１）。
【００８０】
図４に示した近接検出処理や、図５に示した非近接検出処理が終了すると、制御部４０は、近接センサー２０の動作を停止する（ステップ４１２）。
【００８１】
その後、ステップ４０２における処理に戻り、ステップ４０２〜４１２の処理を繰り返し行うことにより、携帯電話端末１００の向きの検出と、検出された携帯電話端末１００の向きに応じて、利用者の頭部の携帯電話端末１００への近接または非近接の検出動作を繰り返し行うことが可能となる。
【００８２】
なお、本形態においては、角度センサー９０を用いて携帯電話端末３００の向きが垂直である場合に、利用者が通話を行う状態であると判断し、赤外線ＬＥＤ２１を発光させ、近接センサー２０の動作を開始しているが、携帯電話端末３００の向きが水平から垂直に変化した場合に、利用者が通話を行う状態であると判断することも考えられる。その場合も角度センサー９０を用いて携帯電話端末３００の向きの変化を検出することになるが、携帯電話端末３００の向きが垂直である場合に、利用者が通話を行う状態であると判断する場合と比べて、実際に通話開始操作が行われる際の一般的な携帯電話端末３００の向きの変化に応じて、利用者が通話を行う状態であると判断することができる。また、受話レシーバー５０側が下となり、マイク６０側が下となる状態では、通話を行うことがないため、角度センサー９０を用いて携帯電話端末３００の姿勢を検出し、受話レシーバー５０側が下となり、マイク６０側が下となる状態の場合に、近接センサー２０の動作を開始しないようにすることも考えられる。
【００８３】
また、上述した実施の形態においては、近接センサー２０にて利用者の頭部の近接を検出する場合として、通話時において利用者が耳を受話レシーバー５０に近づける場合を例に挙げたが、携帯電話端末１００，３００本体に内蔵された録音再生機能の再生音声を聴く場合にも同様の手段を用いてもよい。
【００８４】
また、上述した実施の形態においては、近接センサー２０として、赤外線ＬＥＤ２１とこの赤外線ＬＥＤ２１の反射光を受光する受光部２２とからなるものを例に挙げて説明したが、この他に、超音波を用いたセンサーや静電容量を用いたセンサーを近接センサー２０として使用することも考えられる。
【００８５】
なお、本発明の構成要素は、上述したブロック図に示されるような機能として分離されるものに限らず、適宜、機能毎に分離した構成としてもよい。
【００８６】
また、本発明においては、情報端末装置内の処理は上述の専用のハードウェアにより実現されるもの以外に、その機能を実現するためのプログラムを情報端末装置となるコンピュータにて読取可能な記録媒体に記録し、この記録媒体に記録されたプログラムを情報端末装置に読み込ませ、実行するものであっても良い。情報端末装置にて読取可能な記録媒体とは、ＩＣカードやメモリカード、あるいは、フロッピーディスク（登録商標）、光磁気ディスク、ＤＶＤ、ＣＤ等の移設可能な記録媒体の他、情報端末装置に内蔵されたＨＤＤ等を指す。この記録媒体に記録されたプログラムは、例えば、制御ブロックにて読み込まれ、制御ブロックの制御によって、上述したものと同様の処理が行われる。
【００８７】
また、本発明の情報端末装置は、図２や図７に示した携帯電話端末１００，３００に限らず、携帯音楽プレーヤーや携帯ゲーム機、タブレットＰＣやノートＰＣ、ＰＤＡ等、接触または近接による入力操作に応じた動作を行うものであればよい。
【００８８】
上記の実施の形態の一部または全部は、以下の付記のようにも記載され得るが、以下には、限られない。
【００８９】
（付記１）
入力指示手段の接触または近接を検出する入力検出手段と、
装置への利用者の頭部の近接を検出する近接検出手段と、
装置の状態を検出する状態検出手段と、
前記状態検出手段で装置の所定の状態を検出した場合に、前記近接検出手段での検出を開始し、前記近接検出手段で近接を検出した場合に、前記入力検出手段における検出を停止する制御手段とを有する情報端末装置。
【００９０】
（付記２）
付記１に記載の情報端末装置において、
前記制御手段は、前記近接検出手段での検出を開始した際に前記入力検出手段における検出が停止している状態において前記近接検出手段で近接を検出しなかった場合に、前記入力検出手段における検出を再開する情報端末装置。
【００９１】
（付記３）
付記１または付記２に記載の情報端末装置において、
前記状態検出手段は、装置の移動状態を前記状態として検出する情報端末装置。
【００９２】
（付記４）
付記１乃至３のいずれかに記載の情報端末装置において、
前記状態検出手段は、装置の向きを前記状態として検出する情報端末装置。
【００９３】
（付記５）
付記１乃至４のいずれかに記載の情報端末装置において、
音声が入力される音声入力手段を有し、
前記近接検出手段は、前記音声入力手段への利用者の頭部の近接を検出する情報端末装置。
【００９４】
（付記６）
付記１乃至５のいずれかに記載の情報端末装置において、
音声を出力する音声出力手段を有し、
前記近接検出手段は、前記音声出力手段への利用者の頭部の近接を検出する情報端末装置。
【００９５】
（付記７）
付記１乃至６のいずれかに記載の情報端末装置において、
前記近接検出手段は、前記入力検出手段への利用者の頭部の近接を検出する情報端末装置。
【００９６】
（付記８）
入力指示手段の接触または近接を検出する入力検出処理と、
装置の所定の状態を検出する状態検出処理と、
前記状態検出処理にて前記所定の状態を検出した場合に、装置への利用者の頭部の近接を検出する近接検出処理とを有し、
前記入力検出処理は、前記近接検出処理にて近接を検出した場合に、前記入力指示手段の接触または近接の検出を停止する入力制御方法。
【００９７】
（付記９）
コンピュータに、
入力指示手段の接触または近接を検出する入力検出手順と、
装置の所定の状態を検出する状態検出手順と、
前記状態検出手順にて前記所定の状態を検出した場合に、装置への利用者の頭部の近接を検出する近接検出手順とを実行させ、
前記入力検出手順では、前記近接検出手順にて近接を検出した場合に、前記入力指示手段の接触または近接の検出を停止するプログラム。
【符号の説明】
【００９８】
１    入力検出部
２    近接検出部
３    状態検出部
４    制御部
１０    タッチパネル
１１    タッチパッド
１２    表示ユニット
２０    近接センサー
２１    赤外線ＬＥＤ
２２    受光部
３０    加速度センサー
４０    制御部
５０    受話レシーバー
６０    マイク
７０    通信部
８０    筐体
９０    角度センサー
１００，３００    携帯電話端末
２００    頭部
【図１】
2013258584.tif 000003
【図２】
2013258584.tif 000004
【図３】
2013258584.tif 000005
【図４】
2013258584.tif 000006
【図５】
2013258584.tif 000007
【図６】
2013258584.tif 000008
【図７】
2013258584.tif 000009
【図８】
2013258584.tif 000010